(57)【特許請求の範囲】
【請求項１】
スチームによる毛髪加湿手段と、毛髪乾燥手段とを備え、筒状の毛髪巻胴に巻回した毛髪を加湿、乾燥してカール付けを行うヘアーカール器において、上記筒状の毛髪巻胴の周方向の一部にスチーム吐出孔を設けて加湿領域を構成し、毛髪巻胴の周方向の他の部分に毛髪乾燥手段を設けて乾燥領域を構成し、上記加湿領域にのみ櫛部材を設けたことを特徴とするヘアーカール器。
【請求項２】
毛髪巻胴の乾燥領域に風吐出孔を設け、毛髪乾燥手段は該風吐出孔より吐出する温風から成ることを特徴とする請求項１記載のヘアーカール器。
【請求項３】
毛髪巻胴の乾燥領域の表面上に毛髪乾燥手段を構成する熱板を設けたことを特徴とする請求項１記載のヘアーカール器。
【請求項４】
櫛部材は千鳥状に配列された複数列のブリスルから成ることを特徴とする請求項１記載のヘアーカール器。
【請求項５】
櫛部材は高さの異なる複数のブリスルから成り、ブリスルの先端が鋭角状に形成されていることを特徴とする請求項１又は４記載のヘアーカール器。
【請求項６】
櫛部材は高さの異なる複数列のブリスルから成り、中央列に位置するブリスルの先端と毛髪巻胴の側面部とを結ぶ略直線上に他の列のブリスルの先端が位置していることを特徴とする請求項１又は４又は５記載のヘアーカール器。
【請求項７】
毛髪巻胴の周方向にリブを突設したことを特徴とする請求項１記載のヘアーカール器。
【請求項８】
毛髪巻胴の外周面に曲率半径の小さい部分を設け、この曲率半径の小さい部分を乾燥領域としたことを特徴とする請求項１記載のヘアーカール器。
【発明の詳細な説明】
【０００１】
【発明の属する技術分野】
この発明は、毛髪にスチームを当ててカール付けを行うヘアーカール器に関する。
【０００２】
【従来の技術】
従来から、この種のスチーム発生手段を備えたヘアーカール器として、毛髪が巻き付けられる部分の表面で且つスチーム発生部からのスチームもしくは温風が吐出される面からブリスルが突設された構造が開示されている。その一例として例えば特開平５−２４５００５号公報には、図２０、図２１に示すように、モータ１５とファン１６とから成る送風ブロック１５及びヒータブロック１２を有する本体１と、本体１の送風口５に着脱自在に連結されるアタッチメント２とを備えたヘアーカール器が開示されている。このアタッチメント２は、毛髪巻胴３４の軸方向に一列に突設された太いブリスル３８ａと、ブリスル３８ａの基部近傍に形成されたスチーム吐出孔３７とを備えており、スチーム発生用のヒータブロック９で発生したスチームをスチーム吐出孔３７から毛髪に向けて噴出させるものであり、毛髪をカール付けする場合は、ブリスル３８ａを毛髪に入り込ませてスチームにて水分を当てて湿らし、ブリスル３８ａを毛髪の先端に移動する方向に回転させて毛髪巻胴３４の外周に毛髪を巻きつけてカール形状に保持し、その後、温風（又は冷風）を毛髪に当ててカール付け（癖付け）を行うものである。尚図２０中の３は給水タンク、２９はヒータパイプ、４８は吸水体であり、また図２１中の７，８はスイッチである。
【０００３】
【発明が解決しようとする課題】
ところで、毛髪にスチームを当てると水分により毛髪が軟らかくなってカール形状に保持し易く、風を当てて水分を蒸発させることで毛髪がその形状で固まるものであるが、従来のヘアーカール器では温風（又は冷風）を当てる際に送風部からの風が毛髪全体に当たってしまい、カール付けをしたい毛髪の部分に風を有効に当てることができなかった。特に前髪等の短い毛髪をカール付けする時には、毛髪の根元に風をしっかりと当てることができないために、カールが弱く、長くカール付け状態を保持できないという問題があった。
【０００４】
本発明は、上記点に鑑みてなされたもので、カール付けをしたい毛髪の部分にスチームと風を有効に当てることができ、前髪等の短い毛髪であっても、強くて長持ちするカールを容易に形成できるようにしたヘアーカール器を提供することを課題とする。
【０００５】
【課題を解決するための手段】
上記課題を解決するために、本発明は、スチームによる毛髪加湿手段と、毛髪乾燥手段とを備え、筒状の毛髪巻胴３４に巻回した毛髪を加湿、乾燥してカール付けを行うヘアーカール器において、上記筒状の毛髪巻胴３４の周方向Ｃの一部にスチーム吐出孔３７を設けて加湿領域Ａを構成し、毛髪巻胴３４の周方向Ｃの他の部分に毛髪乾燥手段を設けて乾燥領域Ｂを構成し、上記加湿領域Ａにのみ櫛部材３８を設けたことを特徴としており、このように構成することで、例えば前髪等の短い毛髪をカール付けする際に櫛部材３８を毛髪の根元まで入り込ませて毛髪の先端に向けて回転させることにより、毛髪の根元部分に有効にスチームを当てることができ、その後、毛髪の根元部分を有効に乾燥させることができ、強くて長持ちするカール付けを行うことができる。
【０００６】
ここで、上記毛髪巻胴３４の乾燥領域Ｂに風吐出孔３９を設け、毛髪乾燥手段は該風吐出孔３９より吐出する温風から成るのが好ましく、この場合、スチームで水分を与えた毛髪を温風によって短時間で乾燥させることができる。
上記毛髪巻胴３４の乾燥領域Ｂの表面上に毛髪乾燥手段を構成する熱板７０を設けるのが好ましく、この場合、毛髪巻胴３４に巻き付けた毛髪を熱板７０で直接加熱することで、強固なカール付けを容易に行うことができる。
【０００７】
上記櫛部材３８は千鳥状に配列された複数列のブリスル３８ａから成るのが好ましく、この場合、千鳥状のブリスル３８ａによって毛髪をつかまえ易く、しかも毛髪にテンションをかけ易くなるので、強固なカール付けを容易に行うことができる。
上記櫛部材３８は高さの異なる複数のブリスル３８ａから成り、ブリスル３８ａの先端が鋭角状に形成されているのが好ましく、この場合、各ブリスル３８ａの先端を毛髪の根元に深く入り込ませることが容易となり、しかも各ブリスル３８ａを毛髪の根元に深く入り込ませることによって毛髪の生え際等に対して毛髪巻胴３４を当接させ易くなり、カール付けが一層容易となる。
【０００８】
上記櫛部材３８は高さの異なる複数列のブリスル３８ａから成り、中央列に位置するブリスル３８ａの先端と毛髪巻胴３４の側面部３４ａとを結ぶ略直線Ｌ上に他の列のブリスル３８ａの先端が位置しているのが好ましく、この場合、毛髪の生え際等に対して毛髪巻胴３４を当接させ易くなり、尚且つスチームを毛髪の根元に有効に当てることができると同時に、中央列のブリスル３８ａを毛髪の根元奥深くまで入れることが一層容易となる。
【０００９】
上記毛髪巻胴３４の周方向Ｃにリブ８０を突設するのが好ましく、この場合、毛髪巻胴３４に毛髪を巻き付ける際にこのリブ８０がガイドとなり、巻き付け易くなると同時に、毛髪巻胴３４の表面と地肌との間に所定の間隔を保持できるので、毛髪巻胴３４から出るスチーム及び温風が地肌に直接当たらず、しかもリブ８０の外周を地肌に当接させて巻き付けるようにすることで、毛髪巻胴３４に毛髪をより巻き付け易くなる。
【００１０】
上記毛髪巻胴３４の外周面に曲率半径Ｒ2 の小さい部分を設け、この曲率半径Ｒ2 の小さい部分を乾燥領域Ｂとするのが好ましく、この場合、より強いカール付けを行うことができる。
【００１１】
【発明の実施の形態】
以下、本発明の実施の形態の一例を説明する。
本実施形態のヘアーカール器は、温風乃至冷風を送るための本体１と、この本体１に着脱自在に取り付けられるアタッチメント２と、給水用のタンク３とで主体が構成される。
【００１２】
先ず、本体１は、図２に示すように、グリップ部を兼ねることができる略円筒状のハウジング４の一端に送風口５が設けられ、他端に吸入口６が設けられ、これら送風口５及び吸入口６には夫々網体（図示せず）が取り付けられている。ハウジング４の外側部には、前側にスイッチ７，８と、後述する第２ヒータブロック９への通電状態を表示する表示ランプ１０とが設けられ、後側にフック１１が設けられている。ハウジング４の内部には、一端側に熱を発生するヒータブロック１２と電気的接続を行うジャック１３とが設けられ、他端側に送風手段として送風ブロック１４が設けられている。送風ブロック１４は、モータ１５と、モータ１５の回転軸に取着されたファン１６とから構成されており、空気を吸入口６から吸い込んで送風口５から吐き出させるものである。図中の１７は電源コードである。
【００１３】
次に、アタッチメント２について説明する。図３に示すように、アタッチメント２の基台１８は、上記ハウジング４の一端を被うと共に上記フック１１にて係止されることによりハウジング４の一端に連結される大径部１９と、略円筒状のパイプ２１を保持する小径部２０とを備え、大径部１９と小径部２０との間には、送風口５から吐き出される風の通路が形成されている。また基台１８には、後述する毛髪巻胴３４を取り付けるフック２２と、ジャック１３に差し込みにより電気的に接続されるプラグ２３とが設けられている。
【００１４】
上記略円筒状のパイプ２１は、図４に示すように、スチームを噴出させるための多数個のスチーム孔２３と、切欠溝２４と、ねじ孔２５とを有しており、切欠溝２４を基台１８の小径部２０に設けた突起２６に係合させると共に、ねじ２７をねじ孔２５に通して小径部２０を締め付けることにより、基台１８の小径部２０に保持される。そして、パイプ２１の内部にはスチーム発生手段となる第２ヒータブロック９が配設されている。
【００１５】
第２ヒータブロックは、図３に示すように、熱良導体により一端が略くさび状に形成され、他端が略円筒状に形成され、複数のリング部材にてパイプ２１に圧入保持されるヒータパイプ２９と、正特性サーミスタからなる発熱部材３０と、発熱部材３０を保持してヒータパイプ２９の内面に保持される保持枠３１と、発熱部材３０の両面に接触する一対の電極板３２，３２と、アルミナ等の熱良導体により形成されてヒータパイプ２９及び電極板３２，３２に接触する一対のくさび型絶縁板３３とから構成されている。
【００１６】
パイプ２１の外周面には断面形状が略円筒状となった毛髪巻胴３４が装着される。毛髪巻胴３４は、図１に示すように、その内側に筒体３５が一体形成されており、この筒体３５の内側に上記パイプ２１が配置され、パイプ２１の外周面が筒体３５で覆われると共に、筒体３５の一端がフック２２（図３）によって基台１８に取り付けられている。
【００１７】
ここで、毛髪巻胴３４の周方向Ｃの一部（本実施形態では前面）が加湿領域Ａとなっており、この加湿領域Ａには、パイプ２１のスチーム孔２３と一致する部位にスチーム吐出孔３７が形成されており、さらにスチーム吐出孔３７の近傍に筒体３５の軸方向に沿って１列に配置された複数のブリスル３８ａより成る櫛部材３８が突設されている。各ブリスル３８ａの先端は鋭角状に形成されると共に、スチーム吐出孔３７はブリスル３８ａの根元部分の両側近傍に形成され、ブリスル３８ａの両側近傍よりスチームが吐出するようになっている。さらに毛髪巻胴３４の内側と筒体３５の外側との間には送風口５から出た風（本実施形態ではヒータブロック１２で加熱された温風）が通過する通風部３６が形成されている。また、毛髪巻胴３４の周方向Ｃの他の部分（本実施形態では両側面及び背面）が乾燥領域Ｂとなっており、この乾燥領域Ｂに上記通風部３６と連通する風吐出孔３９が周方向Ｃに間隔をあけて複数列形成されている。
【００１８】
上記ヒータブロック１２に液体を供給するためのタンク３は、図５及び図６に示すように、毛髪巻胴３４の本体１とは反対側の端面部に装着されるケース４０と、カバー４３とから構成される。ケース４０の一端には内圧調整用の弁４４が設けられ、他端側には固定孔４５と水入れ孔４６と筒状部４７とが形成されている。筒状部４７には、吸水体４８を保持した保持部材４９が着脱自在に取付けられている。吸水体４８は、一端がケース４０内に位置し、他端がヒータパイプ２９の一端に接触するものであり、これによってケース４０内の水がヒータパイプ２９の外面に導かれる。またゴム栓４１の一端には固定孔４５に固定される固定リブ５０が形成され、他端に水入れ孔４６に着脱自在に取り付けられる栓部５１と、栓部５１の着脱を容易とする把手部５２とが形成されている。この把手部５２は、栓部５１をケース４０に取り付けた際に、ケース４０との間に隙間ができるように形成されており、これにより栓部５１をケース４０から取り外す際に、指が掛け易くなっている。また、タンク３は、筒状部４７をカバー４３に保持させることにより、アタッチメント２に連結される。このとき、ゴム栓４１にカバー４３側に設けた突起４２が当接するので、栓部５１は突起４２に押し付けられて水入れ孔４６に完全に取り付けられるものである。
【００１９】
次に、前髪等の短い毛髪をカール付けする場合の一例を図７に示す。先ず図３のスイッチ７，８を操作して送風ブロック１４、ヒータブロック１２、第２ヒータブロック９を夫々作動させると、毛髪巻胴３４のスチーム吐出孔３７よりスチームＳが吐出し、毛髪巻胴３４の風吐出孔３９より温風Ｗが吐出する。この状態で、毛髪巻胴３４の加湿領域Ａに設けたブリスル３８ａを図７（ｂ）に示すように、前髪６０′の根元６０ａに入り込ませ、スチームＳにて前髪６０′の根元６０ａに水分のみを当てて湿らした後に、同図（ｃ）（ｄ）に示すように、ブリスル３８ａを前髪６０′の根元６０ａから先端６０ｂに移動する方向に回転させると、前髪６０′全体に水分を供給できると同時に毛髪巻胴３４の外周に前髪６０′を巻き付けてカール形状に保持でき、またこのとき、毛髪巻胴３４の一側面の風吐出孔３９からの温風Ｗを前髪６０′の根元６０ａに有効に当てることができ、さらに毛髪巻胴３４の回転により、毛髪巻胴３４の背面及び他側面の風吐出孔３９からの温風Ｗを前髪６０′の根元６０ａに順次当てていくことができるので、従来のヘアーカール器では困難であった前髪等の短い毛髪に対しても根元６０ａからのカール付けを容易にしかも強固に行うことができ（図７（ｅ）の状態）、長く持続するカール付けを行うことができる。
【００２０】
しかも、毛髪巻胴３４の断面形状は略円形状に形成されているので、毛髪を巻き付けてカール付けを行うとき、きれいで均一なカールを形成できると共に、風吐出孔３９より温風を吐出させることによって、スチームで湿らした毛髪を温風で短時間で乾燥させることができ、カール付けをより短時間で行えるようになる。
【００２１】
なお本実施形態では前髪６０′のような短い毛髪のカール付けについて説明したが、長い毛髪に対しても短い毛髪と同様に強固に且つ長持ちするカール付けを行うことができるのはいうまでもない。また、毛髪乾燥手段を温風で構成したが、これに限らず、冷風であってもよい。
本発明の他の実施形態として、図８に示すように、毛髪巻胴３４の乾燥領域Ｂの表面上に熱板７０を設け、この熱板７０によって毛髪乾燥手段を構成するものであってもよく、この場合、毛髪巻胴３４に巻き付けた毛髪に熱板７０によって直接熱を与えることで、一層強固なカール付けを行うことができるものである。なお熱板７０を加熱する手段として、熱板７０を熱良導体で形成して通風部３６に供給される温風熱を利用して熱板７０を加熱してもよいが、熱板７０を直接加熱するヒータ機構を別途設けるようにしてもよい。
【００２２】
更に他の実施形態として、図９に示すように、櫛部材３８を構成する複数列のブリスル３８ａを千鳥状に配列するようにしてもよい。この場合、図９（ｂ）のように千鳥状に配列された複数のブリスル３８ａによって毛髪をつかまえ易くなり、毛髪にテンションをかけ易くなるので、強固なカール付けを容易に行うことができ、使い易くなる。また本実施形態では、スチーム吐出孔３７をブリスル３８ａ列の間に形成してあるので、ブリスル３８ａ列の間からスチームが吐出することによって、千鳥状に配列されたブリスル３８ａでとらえた毛髪に対してスチームを直接当てることができ、より強固なカール付けを行うことができるという利点もある。
【００２３】
更に他の実施形態として、図１０に示すように、櫛部材３８を高さの異なる複数のブリスル３８ａで構成し、各ブリスル３８ａの先端を鋭角状に形成するようにしてもよい。本実施形態では図１０（ａ）のように一端側のブリスル３８ａ列の高さが最も高く、中央のブリスル３８ａ列がそれより低く、他端側のブリスル３８ａ列の高さが最も低くなっている。従って、図１０（ｂ）のように先端が鋭角状の各ブリスル３８ａを毛髪の根元に深く入り込ませることが容易であり、しかも、最も高さの低いブリスル３８ａを下にして各ブリスル３８ａを毛髪の根元に深く入り込ませることによって毛髪の生え際等に対して毛髪巻胴３４を当接させ易くなり、毛髪の根元にスチームを当てることができ、根元からのカール付けが一層容易にできる。
【００２４】
また図１１に示すように、中央列のブリスル３８ａを最も高くし、両側の列のブリスル３８ａをそれより低くしてもよく、この場合、図１０の実施形態と同様、毛髪６０の根元６０ａからのカール付けが容易にできるという作用効果が得られるだけでなく、右手、左手のどちらの方向からでもカール付けを使うことができるので、使い勝手が良くなる。またこの場合、図１２に示すように、中央列のブリスル３８ａの先端と毛髪巻胴３４の側面部（最外径部）３４ａとを結ぶ略直線Ｌ上に、両側の列のブリスル３８ａの先端を位置させるようにしてもよい。この場合、毛髪６０の根元６０ａからのカール付けが容易にできるという利点、及び右手、左手のどちらの方向からでもカール付けを行うことができ、使い勝手が良いという利点に加えて、毛髪６０の生え際等に対して毛髪巻胴３４を当接させ易くなり、尚且つ中央列のブリスル３８ａを毛髪６０の根元奥深くまで入れることが一層容易となり、従って、スチームを毛髪６０の根元６０ａにしっかりと当てることができるので、根元６０ａからのカール付けをより有効に行うことができる。
【００２５】
更に他の実施形態として、図１３に示すように、毛髪巻胴３４の円周方向Ｃにリブ８０を突設させてもよい。他の構成は図１〜図７の実施形態と同様である。リブ８０は、毛髪巻胴３４の軸方向の中央側にブリスル３８ａの先端より低い高さで略円形状に突設されており、従って、毛髪巻胴３４に毛髪を巻き付ける際にこのリブ８０がガイドとなり、巻き付け易くなると同時に、毛髪巻胴３４の表面と地肌との間に所定の間隔を保持できるので、毛髪巻胴３４から出るスチーム及び温風が地肌に直接当たらず、火傷等を防止でき、安心してカール付けを行なえるものである。しかも、リブ８０は略円形状になっているので、毛髪巻胴３４に毛髪を巻き付ける際に、リブ８０の外周を地肌に当接させて巻き付けるようにすることで、毛髪巻胴３４に毛髪をより巻き付け易くなるという利点もある。
【００２６】
また図１３の変形例として図１４のようにリブ８０を毛髪巻胴３４の軸方向に複数個設けるようにしてもよく、この場合、毛髪巻胴３４に毛髪を巻き付ける際に、リブ８０が１個の場合と比較してより巻き付け易くなるという利点がある。また図１５のように、ブリスル３８ａの近傍にリブ８０′を設けないようにしてもよく、この場合、ブリスル３８ａの根元から出るスチームを毛髪の根元に有効に当てることができと同時に、リブ８０′を地肌に当接させて巻き付け易くできるので、使い勝手が一層良くなる。さらに図１６のように、背の低いリブ８０″を毛髪巻胴３４の円周方向Ｃに形成してもよく、この場合、毛髪巻胴３４に毛髪が触れても地肌が低いリブ８０″に接触することで、熱さ感を低減できると共に火傷を防止でき、安心してカール付けを行なうことができる。
【００２７】
更に他の実施形態として、図１７に示すように、筒体３５の両側面の外側と毛髪巻胴３４の内側との間のみに通風部３６を形成すると共に、毛髪巻胴３４の断面形状を楕円形状とし、曲率半径Ｒ1 の大きい部分を加湿領域Ａとし、曲率半径Ｒ2 の小さい部分を乾燥領域Ｂとしてもよい。この場合、曲率半径Ｒ2 の小さい部分によって毛髪にカールをつけ易くなり、しかも曲率半径Ｒ2 の小さい部分に設けた風吐出孔３９より温風（又は冷風）を吐き出させることによって、より強いカール付けを行えるようになる。
【００２８】
図１８は更に他の実施形態を示す。この実施形態では、両側の列のブリスル３８ａが中央列のブリスル３８ａに向かって図面の矢印方向に傾いており、これにより、両端のブリスル３８ａの長さが長くても、両端のブリスル３８ａを毛髪の根元奥深くまで入れることができるので、スチームを毛髪の根元に有効に当てることができ、根元からのカール付けをより一層有効に行うことができる。
【００２９】
図１９は更に他の実施形態を示す。この実施形態では、スチーム吐出孔３７にフェルト９０、不織布等を設置したものであり、このフェルト９０等によってスチーム吐出孔３７よりスチームを出してもその勢いが弱まり、地肌にスチームが勢い良く当たって火傷するのを防ぐ効果が得られ、安心してカール付けを行なうことができると同時に、スチーム吐出孔３７近傍に生じる結露がフェルト９０等で吸収されることで、スチーム噴出孔の表面側から結露水が垂れて手にかかったりするのを防止でき、使い勝手が一層良くなるという利点がある。
【００３０】
【発明の効果】
以上説明したように、本発明のうち請求項１記載の発明は、スチームによる毛髪加湿手段と、毛髪乾燥手段とを備え、筒状の毛髪巻胴に巻回した毛髪を加湿、乾燥してカール付けを行うヘアーカール器において、上記筒状の毛髪巻胴の周方向の一部にスチーム吐出孔を設けて加湿領域を構成し、毛髪巻胴の周方向の他の部分に毛髪乾燥手段を設けて乾燥領域を構成し、上記加湿領域にのみ櫛部材を設けたから、加湿領域に設けた櫛部材を毛髪の根元に入り込ませ、スチーム吐出孔からのスチームにて毛髪の根元に水分のみを当てて湿らした後に、櫛部材を毛髪の根元から先端に移動する方向に回転させることで、毛髪の根元にスチームを有効に当てることができ、その後、毛髪の根元を有効に乾燥させることができるので、従来のヘアーカール器では困難であった前髪等の短い毛髪に対しても根元からのカール付けを容易に行うことができ、カール付けの状態を長く持続させることができるものである。
【００３１】
また請求項２記載の発明は、請求項１記載の毛髪巻胴の乾燥領域に風吐出孔を設け、毛髪乾燥手段は該風吐出孔より吐出する温風から成るので、請求項１記載の効果に加えて、スチームで湿らした毛髪を温風によって乾燥させることができるので、カール付けを短時間で行うことができる。
また請求項３記載の発明は、請求項１記載の毛髪巻胴の乾燥領域の表面上に毛髪乾燥手段を構成する熱板を設けたから、請求項１記載の効果に加えて、毛髪巻胴に巻き付けた毛髪に対して熱板で直接熱を与えることができ、一層強固なカール付けを行うことができる。
【００３２】
また請求項４記載の発明は、請求項１記載の櫛部材が千鳥状に配列された複数列のブリスルから成るので、請求項１記載の効果に加えて、千鳥状のブリスルによって毛髪をつかまえ易く、使い易くなると共に、毛髪にテンションをかけ易くなるので、強固なカール付けを容易に行うことができる。
また請求項５記載の発明は、請求項１又は４記載の櫛部材が高さの異なる複数のブリスルから成り、ブリスルの先端が鋭角状に形成されているので、請求項１又は４記載の効果に加えて、各ブリスルの先端を毛髪の根元に深く入り込ませることが容易となり、しかも各ブリスルを毛髪の根元に深く入り込ませることによって毛髪の生え際等に対して毛髪巻胴を当接させ易くなり、毛髪の根元にスチームをしっかり当てることができ、根元からのカール付けが一層容易にできるものである。
【００３３】
また請求項６記載の発明は、請求項１又は４又は５記載の櫛部材が高さの異なる複数列のブリスルから成り、中央列に位置するブリスルの先端と毛髪巻胴の側面部とを結ぶ略直線上に他の列のブリスルの先端が位置しているから、請求項１又は４又は５記載の効果に加えて、毛髪の生え際等に対して毛髪巻胴を当接させ易くなり、尚且つ中央列のブリスルを毛髪の根元奥深くまで入れることが一層容易となり、従って、毛髪の根元からのカール付けをより有効に行えるようになる。
【００３４】
また請求項７記載の発明は、請求項１記載の毛髪巻胴の周方向にリブを突設したから、請求項１記載の効果に加えて、毛髪巻胴に毛髪を巻き付ける際にこのリブがガイドとなり、巻き付け易くなると同時に、毛髪巻胴の表面と地肌との間に所定の間隔を保持できるので、毛髪巻胴から出るスチーム及び温風が地肌に直接当たらず、火傷等を防止でき、安心してカール付けを行なえると共に、毛髪巻胴に毛髪を巻き付ける際に、リブの外周を地肌に当接させて巻き付けるようにすることで、毛髪巻胴に毛髪をより巻き付け易くなり、使い勝手が向上する。
【００３５】
また請求項８記載の発明は、請求項１記載の毛髪巻胴の外周面に曲率半径の小さい部分を設け、この曲率半径の小さい部分を乾燥領域としたから、請求項１記載の効果に加えて、曲率半径の小さい部分によって毛髪にカールをつけ易くなり、しかも曲率半径の小さい部分が乾燥領域となっているので、より強いカール付けを容易に行うことができる。
【図面の簡単な説明】
【図１】本発明の実施形態の一例を示す断面図である。
【図２】同上のヘアーカール器の断面図である。
【図３】同上のアタッチメントの要部断面図である。
【図４】同上のアタッチメントの基台とパイプの分解斜視図である。
【図５】同上の毛髪巻胴とタンクの分解斜視図である。
【図６】（ａ）は吸水体を取り付けたケースとゴム栓の分解斜視図、（ｂ）（ｃ）はゴム栓の開閉状態を示す斜視図である。
【図７】（ａ）〜（ｅ）は同上のヘアーカール器を用いて前髪のカール付けを行う場合の説明図である。
【図８】本発明の他の実施形態の断面図である。
【図９】（ａ）は本発明の更に他の実施形態の断面図、（ｂ）はブリスルの配列状態を説明する平面図である。
【図１０】（ａ）は本発明の更に他の実施形態の断面図、（ｂ）は前髪のカール付けを行う場合の説明図である。
【図１１】本発明の更に他の実施形態の断面図である。
【図１２】本発明の更に他の実施形態の断面図である。
【図１３】（ａ）（ｂ）は本発明の他の実施形態の断面図及び側面図である。
【図１４】（ａ）（ｂ）は本発明の更に他の実施形態の断面図及び側面図である。
【図１５】本発明の更に他の実施形態の断面図である。
【図１６】（ａ）（ｂ）は本発明の更に他の実施形態の断面図及び側面図である。
【図１７】本発明の更に他の実施形態の断面図である。
【図１８】本発明の更に他の実施形態の断面図である。
【図１９】本発明の更に他の実施形態の断面図である。
【図２０】従来のヘアーカール器のアタッチメントを説明する断面図である。
【図２１】従来のヘアーカール器の本体を説明する断面図である。
【符号の説明】
３４  毛髪巻胴
３７  スチーム吐出孔
３８  櫛部材
３８ａ  ブリスル
３９  風吐出孔
７０  熱板
８０  リブ
Ａ  加湿領域
Ｂ  乾燥領域
Ｃ  周方向
Ｌ  直線
Ｒ2 曲率半径
【図１】
0003637664.tif 000002
【図２】
0003637664.tif 000003
【図３】
0003637664.tif 000004
【図４】
0003637664.tif 000005
【図５】
0003637664.tif 000006
【図６】
0003637664.tif 000007
【図７】
0003637664.tif 000008
【図８】
0003637664.tif 000009
【図９】
0003637664.tif 000010
【図１０】
0003637664.tif 000011
【図１１】
0003637664.tif 000012
【図１２】
0003637664.tif 000013
【図１３】
0003637664.tif 000014
【図１４】
0003637664.tif 000015
【図１５】
0003637664.tif 000016
【図１６】
0003637664.tif 000017
【図１７】
0003637664.tif 000018
【図１８】
0003637664.tif 000019
【図１９】
0003637664.tif 000020
【図２０】
0003637664.tif 000021
【図２１】
0003637664.tif 000022